(57)【要約】    【課題】使用済みペットボトルを再利用した植物栽培容器に適した吸水具を提供する。      【解決手段】吸水具２は、使用済みのペットボトルを半分に切断して下半分を外側容器１６とし、出入口４ａのある上半分を内側容器４とした植物栽培容器に用いられる。吸水具２は、内側容器４に脱着自在に挿入可能な本体６と、該本体６保持され外側容器内１６内の水１８を本体６の上面側に導く吸水部材８と備えている。本体６は、内側容器４の出入口４ａにガタのない状態で挿入するのに適した形状の脚部６ａと、該脚部６ａの上部に一体的に結合し内側容器４の出入口４ａの近傍の内壁面に嵌合するのに適した形状の、出入口４ａの横断面積よりも広い遮蔽用の面積を有する蓋部６ｂとより構成される。【選択図】  図１
0003139896.tif 000002
【実用新案登録請求の範囲】
【請求項１】
使用済みのペットボトルを半分に切断して下半分を外側容器１６とし、出入口４ａのある上半分を内側容器４とした植物栽培容器に用いられる吸水具であって、前記内側容器４に脱着自在に挿入可能な本体６と、前記外側容器１６内の水を前記本体６の上面側に導く吸水部材８と備え、前記本体６を、前記内側容器４の出入口４ａに挿入するのに適した形状の脚部６ａと、該脚部６ａの上部に一体的に結合し前記出入口４ａの横断面積よりも広い遮蔽用の面積を有する蓋部６ｂとより構成したことを特徴とするペットボトルを再利用した植物栽培容器に用いられる吸水具。
【請求項２】
、前記本体６の周囲と前記内側容器４の内壁面との隙間から土壌が落ちるのを阻止するための吸水性を備えた素材から成る土止め部材１０を設け、該土止め部材１０の前記内側容器４を遮蔽する方向の面積を前記蓋部６ｂの遮蔽用の面積より大きく設定し、該土止め部材１０を前記吸水部材８に接触させて前記蓋部６ｂの上面に固着したことを特徴とする請求項１に記載のペットボトルを再利用した植物栽培容器に用いられる吸水具。
【請求項３】
前記本体６の脚部に、前記出入口４ａと係合し前記本体６の前記出入口４ａに対する抜け脱を阻止する脱着可能な抜け止め手段を設けたことを特徴とする請求項１に記載のペットボトルを再利用した植物栽培容器に用いられる吸水具。
【請求項４】
前記本体６と吸水部材８と土止め部材１０とを別体に構成し、前記吸水部材８を前記本体６の内部に挿入配置し、前記土止め部材１０を前記本体６の上部に固設したことを特徴とする請求項１に記載のペットボトルを再利用した植物栽培容器に用いられる吸水具。
【請求項５】
前記土止め部材１０を吸水材により構成し、該土止め部材１０を前記本体６の上面で前記吸水部材８に接触させ、該土止め部材１０を前記本体６の上面に固着したことを特徴とする請求項２に記載のペットボトルを再利用した植物栽培容器に用いられる吸水具。
【請求項６】
前記本体６の脚部６ａを弾力性のある部材で構成し、該脚部６ａを複数本の細長片としたことを特徴とする請求項１に記載のペットボトルを再利用した植物栽培容器に用いられる吸水具。
【請求項７】
前記細長片の下端に前記内側容器４の出入口４ａの端部と係合する抜脱防止用の係止部１２ａを形成し、該係止部１２ａを前記出入口４ａと係合し前記本体６の前記出入口４ａに対する抜け脱を阻止する脱着可能な抜け止め手段としたことを特徴とする請求項６に記載のペットボトルを再利用した植物栽培容器に用いられる吸水具。
【請求項８】
前記本体６の脚部６ａを管状に構成し、該脚部６ａの内部に前記吸水部材８を配置したことを特徴とする請求項１に記載のペットボトルを再利用した植物栽培容器に用いられる吸水具。
【請求項９】
前記脚部６ａの周囲にボッチ２４を設け、該脚部６ａを前記内側容器４の出入口４ａに挿入すると前記ボッチ２４が前記出入口４ａの内壁面に圧接するようにし、該ボッチ２４を前記出入口４ａと係合し前記本体６の前記出入口４ａに対する抜け脱を阻止する脱着可能な抜け止め手段としたことを特徴とする請求項８に記載のペットボトルを再利用した植物栽培容器に用いられる吸水具。
【請求項１０】
前記本体６を、発泡材でキノコ型に一体的に成型し、該本体６に前記吸水部材８を保持させ、該本体６の上面に吸水材から成る土止め部材１０を前記吸水部材８の上部と接触するように固着したことを特徴とする請求項１に記載のペットボトルを再利用した植物栽培容器に用いられる吸水具。
【請求項１１】
前記本体６を、吸水性及び保水性を有する材料によりキノコ型に一体的に成型し、該本体６の脚部６ａが前記吸水部材８を兼用し、該本体６の上部の横幅方向に広い部分を前記蓋部６ｂとしたことを特徴とする請求項１に記載のペットボトルを再利用した植物栽培容器に用いられる吸水具。
【考案の詳細な説明】
【技術分野】
【０００１】
本考案は、使用済みペットボトルを再利用した植物栽培容器に用いられる吸水具に関する。
【背景技術】
【０００２】
ペットボトルを利用した植物栽培容器の中に使用する通気、排水、吸水、土留めを兼ねた円筒状のパイプ管が従来知られている（例えば特許文献１参照）。
【特許文献１】実用新案登録第３０６５８８５号公報
【考案の開示】
【考案が解決しようとする課題】
【０００３】
内部に吸水性のある不織布や繊維を封入し、外側をネットで包んだパイプ管を、使用済みのペットボトルを半分に切断して下半分を外側容器とし、出入口のある上半分を内側容器とした植物栽培容器に用いられる吸水具とした場合、パイプ管の外周面と内側容器の出入口の内周面との間の隙間から内側容器内の土壌が落下してしまい、この種の吸水具に適しないという問題点がある。
本考案は使用済みペットボトルを利用した植物栽培容器用に適した内側容器への位置決めが確実で土止め機能に優れた吸水具を提供することを目的とするものである。
【課題を解決するための手段】
【０００４】
上記目的を達成するため本考案は、使用済みのペットボトルを半分に切断して下半分を外側容器１６とし、出入口４ａのある上半分を内側容器４とした植物栽培容器に用いられる吸水具であって、前記内側容器４に脱着自在に挿入可能な本体６と、前記外側容器１６内の水を前記本体６の上面側に導く吸水部材８と備え、前記本体６を、前記内側容器４の出入口４ａに挿入するのに適した形状の脚部６ａと、該脚部６ａの上部に一体的に結合し前記出入口４ａの横断面積よりも広い遮蔽用の面積を有する蓋部６ｂとより構成したものである。
また本考案は、前記本体６の周囲と前記内側容器４の内壁面との隙間から土壌が落ちるのを阻止するための吸水性を備えた素材から成る土止め部材１０を設け、該土止め部材１０の前記内側容器４を遮蔽する方向の面積を前記蓋部６ｂの遮蔽用の面積より大きく設定し、該土止め部材１０を前記吸水部材８に接触させて前記蓋部６ｂの上面に固着したものである。
また本考案は、前記本体６の脚部に、前記出入口４ａと係合し前記本体６の前記出入口４ａに対する抜け脱を阻止する脱着可能な抜け止め手段を設けたものである。
また本考案は、前記本体６と吸水部材８と土止め部材１０とを別体に構成し、前記吸水部材８を前記本体６の内部に挿入配置し、前記土止め部材１０を前記本体６の上部に固設したものである。
また本考案は、前記土止め部材１０を吸水材により構成し、該土止め部材１０を前記本体６の上面で前記吸水部材８に接触させ、該土止め部材１０を前記本体６の上面に固着したものである。
また本考案は、前記本体６の脚部６ａを弾力性のある部材で構成し、該脚部６ａを複数本の細長片としたものである。
また本考案は、前記細長片の下端に前記内側容器４の出入口４ａの端部と係合する抜脱防止用の係止部１２ａを形成し、該係止部１２ａを前記出入口４ａと係合し前記本体６の前記出入口４ａに対する抜け脱を阻止する脱着可能な抜け止め手段としたものである。
また本考案は、前記本体６の脚部６ａを管状に構成し、該脚部６ａの内部に前記吸水部材８を配置したものである。
また本考案は、前記脚部６ａの周囲にボッチ２４を設け、該脚部６ａを前記内側容器４の出入口４ａに挿入すると前記ボッチ２４が前記出入口４ａの内壁面に圧接するようにし、該ボッチ２４を前記出入口４ａと係合し前記本体６の前記出入口４ａに対する抜け脱を阻止する脱着可能な抜け止め手段としたものである。
また本考案は、前記本体６を、発泡材でキノコ型に一体的に成型し、該本体６に前記吸水部材８を保持させ、該本体６の上面に吸水材から成る土止め部材１０を前記吸水部材８の上部と接触するように固着したものである。
また本考案は、前記本体６を、吸水性及び保水性を有する材料によりキノコ型に一体的に成型し、該本体６の脚部６ａが前記吸水部材８を兼用し、該本体６の上部の横幅方向に広い部分を前記蓋部６ｂとしたものである。
【考案の効果】
【０００５】
本考案は、内側容器の出入口に挿入するのに適した形状の脚部と、該脚部の上部に一体的に結合した幅広の蓋部とより構成したので、内側容器に容易に且つ確実に位置決めが可能であり、しかも内側容器の内部の土壌が外側容器内に落下するのを確実に防止できる。
【考案を実施するための最良の形態】
【０００６】
以下に本考案の実施の形態を添付した図面を参照して詳細に説明する。
図１及び図２は本発明に係るペットボトルを再利用した植物栽培容器に用いられる吸水具の第１の実施形態を示している。吸水具２はペットボトルの上半分から成る内側容器４の出入口４ａ及びその近傍に挿入される本体６と、吸水性、保水性を有する不織布などの細長状の吸水部材８と、土止め部材１０とで構成されている。
【０００７】
本実施形態において、本体６はプラスチック材から成り、内側容器４の出入口４ａに嵌合するのに適した形状の脚部６ａと、内側容器４の出入口４ａの近傍の内壁面を水平方向に仕切り、内側容器４の内部を隙間無く水平方向に塞ぐのに適した、水平方向に広がる板状の蓋部６ｂとから構成されている。脚部６ａは互いに円周方向に所定間隔を有して隣接した複数本の細長片を備え、各細長片１２の各下部は外側に僅かに傾斜し、各下端には、抜脱防止用の係止部１２ａが形成されている。前記各細長片１２の上部は、脚部６ａの上部に形成された環状体１４に一体的に結合している。
【０００８】
該環状体１４の平板部１４ａには、蓋部６ｂが留め具（図示省略）又は接着剤により固着されている。前記脚部６ａの内側には、細長状の吸水部材８が２本に重ねた状態で配置され、先端部が、脚部６ａの下方からその外方に延びている。吸水部材６ａの上部は環状体１４の平板部１４ａと蓋部６ｂに形成された穴を通じて蓋部６ｂの上面側に導かれ、ここで左右に分岐されて蓋部６ｂの上面に配置されている。土止め部材１０は前記吸水部材８と同じ吸水材料から構成され、蓋部６ｂより大きな板状に形成されている。
【０００９】
土止め部材１０は幅広の吸水面が土壌と接し、吸水部材８から伝った水を土壌に効率的に供給するとともに、外周部が内側容器４の内壁面の全周と密に接して土壌の下方の落下を阻止し、該土止め部材１０と本体６の蓋部６ｂとは二重の土止め機構を構成する。土止め部材１０は、前記吸水部材８の上部の上から留め具（図示省略）又は接着剤により、前記蓋部６ｂの上面に固着されている。
【００１０】
次に、上記吸水具２を用いて、使用済みペットボトルを植物栽培容器として再利用する手順について説明する。
まず使用済みのペットボトルを真ん中から横断方向にカッターを用いて切断し、ペットボトルを外側容器１６，出入口４ａの付いた上部ペットボトルを内側容器４とする。外側容器１６には予め水１８を入れておく。また、内側容器４内に吸水具２をその脚部６ａから挿入し、吸水具２の脚部６ａを内側容器４の出入口４ａに挿入する。
【００１１】
吸水具２を内側容器４内で下向きに押し下げると、脚部６ａは、内側容器４の出入口４ａの近傍の円錐面に導かれて圧縮方向に変形しながら出入口４ａに嵌挿する。脚部６ａを出入口４ａに挿入し脚部６ａの下端が出入口４ａから脱すると、自動的に係止部１２ａがその弾力性により、出入口４ａの端部に引っ掛かり、脚部６ａは、係止部１２ａを介して出入口４ａの端部に係止される。このとき、吸水部材８は、出入口４ａの外に突出する。
【００１２】
吸水具２の脚部６ａが出入口４ａに挿入された状態において、蓋部６ｂの外周部は、内側容器４の内壁面に嵌合する。この脚部６ａと蓋部６ｂの、内側容器４に対する嵌合により、吸水具２は内側容器４の内部にしっかりと定位置に脱着可能に位置決めされる。またこのとき、土止め部材１０は内側容器４の内壁面に密嵌し、蓋部６ｂと土止め部材１０とによって土壌の出入口４ａを伝った落下が確実に阻止される。
【００１３】
以上により、内側容器４に対する吸水具２の装着は完了する。内側容器４には、吸水具２を装着した後、土壌２０が入れられ、これに植物２２あるいは種が埋められる。以上の準備ができたところで、内側容器４を、出入口４ａを下にして、外側容器１６に嵌合すれば、使用済みペットボトルは植物栽培容器となる。
【００１４】
該状態において、吸水部材８は、外側容器１６内の水１８を吸い込み、毛細管現象で、水を上方に導き、土壌２０に接する土止め部材１０を通じて土壌２０内に水が供給される。土止め部材１０は、内側容器４内の土壌２０が蓋部６ｂを境として、下方に落下するのを防止している。外側容器１６内の水が無くなったときは、内側容器４を手で持ち上げて、外側容器１６から外し、外側容器１６の上部開放部から水を補給する。水の補給が完了したら再び内側容器４を外側容器１６に挿入すれば良い。
【００１５】
次に本考案の第２の実施形態を図３を参照して説明する。
吸水具２のプラスチック材から成る本体６の脚部６ａは、管状体により構成される。該管状体の外周面には、脚部６ａを内側容器４の出入口４ａの内壁面に密嵌させ、脚部６ａを、該内壁面に脱着可能に固定するための、１つ又は複数個のボッチ（突起）２４が固設されている。蓋部６ｂには、管状部２６が一体的に形成され、該管状部２６の外周に雄ねじが形成されている。
【００１６】
前記管状部２６の雄ねじは、脚部６ａの上部内周面に形成された雌ねじに螺合し、この螺合により、脚部６ａと蓋部６ｂがＴ字状に結合している。蓋部６ｂには、留め具２８が複数突設され、該留め具２８によって、吸水部材８の上部の屈折部が蓋部６ｂに固定されている。蓋部６ｂには、吸水材から成る土止め部材１０が前記吸水部材８の屈折部の上に重ねて配置され、該吸水部材８は、留め具２８によって蓋部６ｂに固定されている。
【００１７】
上記した構成において、吸水具２の脚部６ａを内側容器４の出入口４ａに挿入すると、ボッチ２４の存在により、脚部６ａは、ボッチ２４を介して、内側容器４の出入口４ａの内周面に密嵌し、しっかりと出入口４ａの内周面に脱着可能に固定される。他の構成や各部品の機能は、第１の実施形態と同じであり、その説明を省略する。
【００１８】
上記実施形態はいずれも吸水具２の本体６を硬いプラスチックで構成したものであるが、柔軟性のある発泡ポリウレタンや、柔軟性のない発泡スチロールなどの発泡材をキノコ型に成型加工して吸水具２の本体６を構成しても良い。図４は発泡ポリウレタン製の本体６を示し、図５は発泡スチロール製の本体６を示している。図４，５において、キノコ型本体６の下部の円柱状部は、内側容器４の出入口４ａの内壁面に嵌合可能な脚部６ａを構成し、上部の円錐状部は、内側容器４の出入口４ａの近傍の円錐状部分に密嵌可能な蓋部６ｂを構成する。
【００１９】
図４の発泡ポリウレタンの本体２には、吸水部材８を保持するためのスリット部３０が形成され、図５の発泡スチロールの本体２には、穴３２が形成されている。このスリット部３０と穴３２に細長状の不織布などから成る吸水部材８が２層状態で配置されている。吸水部材８の一方側は、脚部６ａから所定長さ突出し、他方側の左右に分岐された部分は留め具や接着剤により、蓋部６ｂの上面に固着されている。蓋部６ｂの上面には、前記吸水部材８の上から、板状の土止め部材１０が留め具や接着剤により固着されている。前記脚部６ａの太さは、出入口４ａにガタのない状態で嵌合可能に構成されている。他の構成や各部品の機能は第１の実施形態と同じである。
【００２０】
図６は、吸水具の本体を構成する素材として市販の商品名「オアシス」や「ロックウール」などの吸水性と保水性を有する材料を用いた実施形態を示している。吸水性及び保水性を有する商品名「オアシス」や「ロックウール」などの素材を、内側容器４の出入口４ａ及びその近傍の内部形状に対応するキノコ型に成型加工し、脚部６ａと蓋部６ｂを有する吸水具２の本体６を形成した場合には、脚部６ｂに、外側容器１６の底面に延びる延長部３４を設けることによって、本体６が吸水部材を兼ねることができる。
【００２１】
脚部６ｂの延長部３４から吸い上げられた水は、蓋部６ｂの上面に達し、ここから、内側容器４内の土壌２０に供給される。商品名「オアシス」や「ロックウール」などの柔軟性に欠け、破損し易い素材によりキノコ型の本体６を構成した場合には、本体６の周囲に、水の取り入れ、取り出し部分を残して、プラスチックシートカバーやコーティング等のシート状あるいは膜状のカバー（図示省略）を被覆するようにしても良い。図６に示す実施形態では、蓋部６ｂが内側容器４の円錐内壁面に密着することで土止め部材を兼ねている。また、脚部６ｂは、出入口４ａにガタのない状態で嵌合可能な太さに構成されている。他の構成及び部品の機能は上記第１及び第２の実施形態と同じであり、その説明を省略する。
【図面の簡単な説明】
【００２２】
【図１】本考案に係る吸水具の断面図である。
【図２】植物栽培容器の断面図である。
【図３】本考案の他の実施形態を示す断面図である。
【図４】本考案の他の実施形態を示す断面図である。
【図５】本考案の他の実施形態を示す断面図である。
【図６】本考案の他の実施形態を示す断面図である。
【符号の説明】
【００２３】
２      吸水具
４      内側容器
４ａ    出入口
６      本体
６ａ    脚部
６ｂ    蓋部
８      吸水部材
１０    土止め部材
１２    細長片
１４    環状体
１６    外側容器
１８    水
２０    土壌
２２    植物
２４    ボッチ
２６    管状部
２８    留め具
３０    スリット部
３２    穴
３４    延長部
【図１】
0003139896.tif 000003
【図２】
0003139896.tif 000004
【図３】
0003139896.tif 000005
【図４】
0003139896.tif 000006
【図５】
0003139896.tif 000007
【図６】
0003139896.tif 000008